(57)【要約】【課題】簡単な構成で、肩凝りや上半身の締め付けによる身体の窮屈感を取り除き、簡単に着用可能で長時間に亘って使用可能な姿勢補正具を提供する。【解決手段】帯状ゴム素材本体部の左右両先端部位に環状部位を設け、本体部を背中にあてがい左右の環状部位に各々二の腕を通す事で、帯状ゴム素材の引き戻す力が両二の腕を身体の横に自然に添うよう後方に引き戻し、胸を広く開き、肩に負担がかからない形状と仕組みを持たせ、これにより肩凝りや上半身など身体が窮屈になり苦痛を感じる事なく姿勢の歪みが補正されるように考案した。【選択図】図２
0003140239.tif 000002
【実用新案登録請求の範囲】
【請求項１】
帯状ゴム素材を主とし、伸縮性のある本体部を形成し、その本体部の左右両先端部位に各々両腕を通すための環状部位を設けた姿勢補正用具である。
【請求項２】
前記環状部位と本体部位は背巾、両腕周りなど人体構造に添ってフリーサイズとして使用出来るよう異なる特長を有する２対の帯状ゴム素材で構成され、各々接合部位を設け、接合部位には一部帯状ゴムの伸縮に伴い同様に伸縮作用を持つ接着テープも取り付けた。
【請求項３】
請求項１に記述した本体部の裏面中央部にはプチクッションを取り付け梃子の作用で姿勢の歪みをしっかり補正、ツボ押し等の役目を持たせた。
【考案の詳細な説明】
【考案の詳細な説明】
【技術分野】
【０００１】本考案は姿勢の歪みを補正する目的を持ち、簡単、自由にいつでも衣服の上から身体に装着、取り外し出来る事を特長とする姿勢補正用具である。
【背景技術】
【０００２】従来、姿勢を矯正、補正する目的としての用具としてすでに多数考案、販売されている。しかしその多くは帯状ゴム、生ゴム、ウレタン素材等を使用しながら背中でバッテンさせ両肩にたすき掛けをして姿勢を矯正させる、或いは更に背中のみならずウエストにまで巻きつけて使用するよう構成されている。
【考案が解決しようとする課題】
【０００３】従来の物は着用する際に直接下着に、着用するように構成され、一度着用すると簡単に着脱できない不便性と、更にバッテン状にして肩にかけ背筋を真直ぐにするために肩に負担が多くかかり、肩凝りで悩む事例や上半身を締め付け窮屈なため購入しても続けて着用出来ない等多くの問題点があった。
【その課題を解決するための手段】
【０００４】上記［０００３］に於ける問題点を改良し、快適に使用するための手段として、帯状ゴム素材本体部の左右両先端部位に環状部位を設け、本体部を背中にあてがい左右の環状部位に各々二の腕を通す事で、帯状ゴム素材の引き戻す力が二の腕を身体の横に自然に添うよう後方に引き戻し、胸を広く開き、肩に負担がかからない形状と仕組みを持たせた。これにより肩凝りや上半身が窮屈など苦痛を感じる事なく姿勢の歪みが補正されるように考案した。
【０００５】背中にあてがう本体部裏面にはプチクッションを取り付けた。左右両環状部に二の腕を通した事で二の腕や背中などが後方に引っ張られ、自然に胸が開き、同時に背面部左右の肩甲骨間に出来るへこみにプチクッションをあてがう事で梃子の作用が働き、さらにしっかり姿勢を補正する事になる。またツボ押しの役目も果たす等従来品には全く無い新観点からなる理論により構成された姿勢補正用具である。
【考案実施の形態】
【０００６】本案の考案実施形態については添付図面を参照し説明する。
【０００７】図１は帯状ゴム素材で構成された本体部（Ａ）、の正面図である。この本体部（Ａ）は異なる素材（イ）と（ロ）から形成され、引き戻す力の強い素材（イ）には姿勢を後方に引き戻し正す役目を持たせた。（ロ）には伸びる力を主とした素材を用いて環状部位（Ｂ）に通した二の腕が締め付けられる事なく、自由に伸縮調整可能としたので腕などを動かす動作にも楽に適応できる。素材（イ）（ロ）の伸びる力、引き戻す力の加減については特定せず、姿勢補正用具として適応する素材であるなら全て使用可能とする。
【０００８】図２は本体部（Ａ）の左右両環状部位（Ｂ）と接合接着部位（ハ）（ハ１）を示す裏面図である。本体部（Ａ）と環状部位（Ｂ）は引き戻す力（イ）と伸びる力（ロ）を持つ各々異なる特色を持った２対の帯状ゴム素材で構成され、環状部（Ｂ）の一部先端は本体部（Ａ）に接合縫い合せる（ハ１）。本体部（Ａ）と両環状部位（Ｂ）には接着させるために（Ａ）（Ｂ）の先端部位には接着テープ部位（ニ）を設け、接着用テープ（１）（２）にて（イ）と（ロ）を接合させ背巾、腕周り等フリーサイズとして使用可能とし、又その接着テープ部位（ニ）にて簡単に補正用具を着脱出来るようにした。
【０００９】図３は本体部（Ａ）の裏面正面図である。本体部裏面の中ほどにはプチクッション（ホ）を取り付けたが、このプチクッション（ホ）は本体部（Ａ）の裏面に接着テープにより自由に着脱可能でもあるが、縫合して使用する事も出来る。プチクッションの形状、中味等の素材は姿勢補正の目的を果たすものであれば全て適応とし限定される事はない。
【実施例】
【００１０】添付図面に従って実施例を説明する。
図４は実際に着用背面図である。本体部位（Ａ）を背中に当て、左右両環状部位（Ｂ）に各々二の腕を通した事で素材（イ）の後方に引く力が強まり姿勢の歪みを正し、プチクッション（ホ）の梃子の作用により更に背筋が補正される。【００１１】図５は実際に着用した側面図である。両二の腕部位にて異なる特長を持った素材（イ）と（ロ）を接着用テープ（１）（２）にて接合させ、背巾、腕回りをフリーサイズにて着脱可能とした。また本体部位（Ａ）表面に好みで刺繍など用いてオリジナル製品としてデザイン化も可能とした。
【考案の効果】
【００１２】日頃気を付けていても家事、読書、パソコン、ＴＶゲーム等々夢中になって何かをしている時にいつの間にか前かがみになり、猫背のクセが出てしまいがちである。姿勢の歪みは身体に様々な変調を及ぼすと言われているが肩に負担をかけずに使用出来るこの用具は、肩凝り予防、背中の中心部に引っ張る力が胸を大きく広げバストアップに、又湾曲背中、たるんだ二の腕、ぽっこりお腹の解消も期待出来る。背中に取り付けたプチクッションは肩甲骨間におさまり、更に背骨の歪みを正し、ツボ押しの役目を果たす。背骨が歪んだり、左右に片寄ってくるとクッションの位置がずれて身体の歪みを知らせる。手元近くに置いて衣服の上でも下でも両二の腕を通すだけでいつでも簡単自由に着脱出来、上半身を締め付ける窮屈感もなく快適に着用できるこれまでありそうでなかった形状の姿勢（猫背）補正する用具である。
【図面の簡単な説明】
【００１３】
【図１】本考案の本体正面図を示すものである。
【図２】本考案の本体裏面図である。
【図３】本考案の裏面正面図である。
【図４】本稿案の着用背面図である。
【図５】本考案の着用側面図である。
【符号の説明】
【００１４】（１）  接着用テープメス部位
（２）  接着用テープオス部位
（Ａ）  本体部
（Ｂ）  環状部位
（イ）  引き戻す力のある帯状ゴム素材
（ロ）  伸びる力のある帯状ゴム素材
（ハ）  接合接着部位  （ハ１）接合縫合部位
（ニ）  接着テープ部位
（ホ）  プチクッション
【図１】
0003140239.tif 000003
【図２】
0003140239.tif 000004
【図３】
0003140239.tif 000005
【図４】
0003140239.tif 000006
【図５】
0003140239.tif 000007
【手続補正書】
【提出日】平成19年12月4日(2007.12.4)
【手続補正１】
【補正対象書類名】実用新案登録請求の範囲
【補正対象項目名】全文
【補正方法】変更
【補正の内容】
【実用新案登録請求の範囲】
【請求項１】
帯状ゴム素材を主とし、伸縮性のある本体部を形成し、その本体部の左右両先端部位に各々両腕を通すための環状部位を設けた姿勢補正用具である。
【請求項２】
前記環状部位と本体部位は背巾、両腕周りなど人体構造に添ってフリーサイズとして使用出来るよう異なる特長を有する２対の帯状ゴム素材で構成され、各々接合部位を設け、接合部位には一部帯状ゴムの伸縮に伴い同様に伸縮作用を持つ接着テープを取り付けた事を特長とする請求項１記載の姿勢補正用具である。
【請求項３】
請求項１に記述した本体部の裏面中央部にはプチクッションを取り付け梃子の作用で姿勢の歪みをしっかり補正、ツボ押し等の役目を持つと言う特長とする請求項１記載の姿勢補正用具である。